(57)【要約】【課題】緯糸３をしっかりクランプするクランプ部分４、及びクランプ部分４を移動させるアクチュエータ５を備えるレピア・ヘッド１用糸クランプを提供すること。【解決手段】アクチュエータ５は、強磁性コア１２、電機子１１、及び少なくとも１つの巻線１３を備え、巻線１３が、前記コア又は電機子に磁界を生成し電機子及びクランプ部分を移動させるためにコア又は電機子上に配置され、コア又は電機子と作動的に接続されている。コア１２は２つの肢１２．１、１２．２を有し、その間に電機子１１が可動に配置され、巻線に電流が流れていない状態で電機子を２つの停止位置の１つで保持するために、各肢には永久磁石１４．１、１４．２が設けられている。【選択図】図１
2007332530.tif 000002
【特許請求の範囲】
【請求項１】
緯糸（３）をしっかりクランプするためのクランプ部分（４）と前記クランプ部分（４）を移動させるアクチュエータ（５）とを備え、前記アクチュエータが強磁性コア（１２）、電機子（１１）、及び少なくとも１つの巻線（１３）を備え、前記巻線が、前記コア又は電機子に磁界を生成し電機子及びクランプ部分を移動させるためにコア又は電機子上に配置され、コア又は電機子と作動的に接続されている、レピア・ヘッド（１）用の糸クランプにおいて、前記電機子（１１）が２つの停止位置の間で可動に配置され、前記巻線に電流が流れていない状態で前記電機子を一方の停止位置と他方の停止位置の両方でしっかり保持するための少なくとも１つの保持手段（１４．１、１４．２）が設けられることを特徴とする糸クランプ。
【請求項２】
前記コア（１２）がＵ字形に形成され、２つの肢（１２．１、１２．２）を有する、請求項１に記載の糸クランプ。
【請求項３】
少なくとも１つの永久磁石（１４．１、１４．２）が保持手段として設けられている、請求項１又は２に記載の糸クランプ。
【請求項４】
前記コア（１２）が２つの肢（１２．１、１２．２）を有し、その２つの肢の間に前記電機子（１１）が可動に配置され、前記巻線に電流が流れていない状態ではその都度前記２つの肢の１つで前記電機子をしっかり保持するための２つの永久磁石（１４．１、１４．２）が設けられている、請求項１から３までのいずれか一項に記載の糸クランプ。
【請求項５】
前記コア（１２）及び／又は前記電機子（１１）が変圧器金属板で作成されている、請求項１から４までのいずれか一項に記載の糸クランプ。
【請求項６】
前記クランプ部分（４）が前記電機子（１１）上に形成されている、請求項１から５までのいずれか一項に記載の糸クランプ。
【請求項７】
前記巻線（１３）がエネルギ貯蔵部に連結され、前記巻線が具体的には制御回路を介してエネルギ貯蔵部に連結されている、請求項１から６までのいずれか一項に記載の糸クランプ。
【請求項８】
前記糸クランプがさらに機械的及び／又は空気圧式に動作可能である、請求項１から７までのいずれか一項に記載の糸クランプ。
【請求項９】
請求項１から８までのいずれか一項に記載の糸クランプを備えるレピア・ヘッド。
【請求項１０】
請求項１から８までのいずれか一項に記載の糸クランプを備え、及び／又は請求項８に記載のレピア・ヘッドを備えるレピア織機。
【発明の詳細な説明】
【技術分野】
【０００１】
本発明は、請求項１の前文によるレピア・ヘッド用糸クランプ、及びこの種の糸クランプを有するレピア・ヘッド、並びにこの種の糸クランプ又はこの種のレピアを有するレピア織機に関する。
【背景技術】
【０００２】
レピア織機では、緯糸が挿入レピアによって杼口内に挿入される。挿入レピアはバー又は可撓性バンド上に取り付けられており、受けレピアによって杼口の中央部分の移動点に運ばれ、さらに前進させられる。挿入レピアは、与えられた緯糸を確実につかみ、その緯糸を杼口に挿入し、その緯糸を受けレピアまで正確に案内する仕事をする。各レピアは、緯糸の挿入中に緯糸をしっかりクランプすることができるために、糸クランプを有するレピア・ヘッドを備えている。自動クランプ式糸クランプの場合は、それぞれ糸クランプの事前設定されたクランプ領域の中に、又は外に緯糸を引き寄せて糸が移動される。様々な太さの緯糸又は様々な平滑度の緯糸で布を製造するには、制御された糸クランプを１つ又は両方のレピア・ヘッドに使用し、糸の移動中に挿入レピアの糸クランプを能動的に開放し、受けレピアの糸クランプを能動的に閉鎖することができる。
【０００３】
制御された糸クランプは機械的及び／又は電気的に制御され得る。電気アクチュエータで電気的に制御された糸クランプは、例えばＷＯ９９／６０１９３に記載されている。制御された糸クランプへの給電は誘導コイルを介して行われる。誘導コイルはレピア・ヘッド内に配置され、杼口の上方に取り付けられた第２の誘導コイルに誘導的に結合されている。ＷＯ９９／６０１９３に記載された糸クランプは、与圧ばねによって閉鎖状態に保持された可動クランプ部分を含む。アクチュエータ内の電磁石がクランプ部分を開放する働きをする。この構成の欠点は、糸クランプを開放したままにするには電磁石に給電しなければならず、それによって電磁石及び電流が流れる他の部分の望ましくない加熱を招く恐れがあることである。従って、糸クランプの開放時間が緯糸挿入サイクル全体に対して短くても、この糸クランプは電気エネルギ消費量が比較的多い。
【発明の開示】
【発明が解決しようとする課題】
【０００４】
本発明の目的は、糸クランプを開放又は閉鎖したままにするのに要する電気エネルギが上記の従来技術よりも低減される、レピア織機のレピア・ヘッド用糸クランプ、及びこの種の糸クランプを有するレピア・ヘッド、並びにこの種の糸クランプ又はこの種のレピア・ヘッドを有するレピア織機を使用可能にすることである。
【課題を解決するための手段】
【０００５】
この目的は、本発明による、請求項１に記載の糸クランプ、及び請求項９に記載のレピア・ヘッド、並びに請求項１０に記載のレピア織機によって達成される。
【０００６】
本発明によるレピア・ヘッド用糸クランプは、緯糸をしっかりクランプするクランプ部分、及びクランプ部分を移動させるアクチュエータを備える。アクチュエータは、強磁性コア、電機子、及び少なくとも１つの巻線を備え、この巻線は、コア又は電機子上に配置されてそこに磁界を生成し、電機子及びクランプ部分を移動させ、電機子及びクランプ部分に動作可能に連結されている。本発明による糸クランプの電機子は、２つの停止位置の間に可動に配置され、巻線に電流が流れていない状態で電機子を一方の停止位置と他方の停止位置の両方で保持するための少なくとも１つの保持手段が設けられている。コア及び電機子は磁気回路を有利に形成する。この目的で、コアをＵ字形に形成して、コアが２つの肢を有するようにすることができる。しかし他のコアの形状も可能である。例えば、コアをＩ字形、電機子をＵ字形にすることができ、又はコアと電機子の両方をＵ字形又はＬ字形にすることができる。有利な一実施例では、電機子は揺動電機子として形成される。
【０００７】
他の有利な例では、例えば棒磁石など、少なくとも１つの永久磁石を保持手段として提供し、この保持手段を例えばコア又は電機子に配置することができる。好ましい一変形実施例では、コアは２つの肢を有し、その２つの肢の間に電機子が可動に配置され、２つの永久磁石が設けられて、巻線に電流が流れていない状態ではその都度２つの肢の１つで電機子がしっかり保持される。各肢には永久磁石が有利に設けられ、いずれの場合も、永久磁石が肢の内側及び／又は肢の端部領域に配置可能にされている。しかし、永久磁石を電機子又は別個の取付け部分に配置することもできる。さらに、例えば、ばね要素を保持手段として使用することもできる。例えば、電機子が２つの停止位置のうちの１つから離れた場合に、ばね要素に応力を加えて、ばね力によって電機子をそれぞれ停止位置にしっかり保持することもできる。
【０００８】
有利な変形例では、コア及び／又は電機子が変圧器金属板で作成される。他の有利な変形例では、クランプ部分が電機子上に形成される。
【０００９】
他の有利な変形例では、巻線が例えば蓄電池又はコンデンサなどエネルギ貯蔵部に連結される。巻線は、制御回路を介してエネルギ貯蔵部に有利に連結される。
【００１０】
他の有利な変形実施例では、糸クランプを追加として機械的及び／又は空気圧式に作動することができる。従って、糸クランプを杼口の外側で機械的及び／又は空気圧式に開放し閉鎖することができ、それによってそれに関連する電気エネルギ消費量及び加熱が低減される。
【００１１】
さらに本発明は、上記の実施例全てによる、レピア・ヘッドが挿入レピア又は受けレピアとして形成されることが可能な、糸クランプを有するレピア・ヘッド、並びに、上記の実施例全てによる糸クランプ及び／又は上記のレピア・ヘッドを有するレピア織機を含む。
【００１２】
本発明による糸クランプ、及び本発明によるレピア・ヘッド、並びに本発明によるレピア織機は、電機子がいずれの場合もそれぞれ糸クランプの閉鎖又は開放状態に対応する停止位置に存在し、その停止位置で保持手段によってしっかり保持されるため、糸クランプの閉位置でも開位置でも、糸クランプのアクチュエータに電力が不要である利点を有する。電流は、糸クランプの開放及び閉鎖にだけ必要とされる。従って、糸クランプの全電力消費量が低減され、電磁石及び電流が流れる他の部分の望ましくない加熱が回避され、従来の糸クランプのアクチュエータよりも、アクチュエータを小型で軽量にすることができる。さらに、例えばレピア・ヘッドが杼口の外に位置する場合など、製織サイクルの幾つかの相でアクチュエータを機械的又は空気圧式に作動させることができ、それによってアクチュエータの加熱をさらに低減することができる。
【００１３】
上記の実施例の記載は単に一例である。他の有利な実施例は従属請求項及び図面で示されている。さらに、本発明の文脈では、記載又は図で示した実施例及び変形例から個々の特徴を互いに組み合わせて新規の実施例を形成することもできる。
【００１４】
例示の実施例を参照し、図面を参照して、本発明を以下でより詳細に説明する。
【実施例】
【００１５】
図１は、本発明による糸クランプの例示の実施例と共にレピア・ヘッド１及びバンド駆動装置を概略的に示す斜視図である。レピア・ヘッド１は、長手方向に変位可能でありバンド駆動装置６によって前後に移動させることができるバンド２に連結されている。バンド駆動装置６は、図１で示したように、例えばバンド２の切欠きと係合する歯が周囲に設けられた駆動輪を有している。バンド２を長手方向に案内するバンド案内部は、図を見やすくするために図１から省いてある。バンドが可撓性に作成された場合、図１で示したように、バンドを駆動輪の周囲に誘導することができる。
【００１６】
図１で示したように、レピア・ヘッド１に配置され得る糸クランプは、例示の実施例では、緯糸３をしっかりクランプするためのクランプ部分４、及びクランプ部分４を移動させるためのアクチュエータ５を備える。アクチュエータ５を制御するため、アクチュエータ５を直接、或いは例えば復調器及び／又は増幅器を備えることができる変換器／制御回路を介して、第２の誘導コイル９に連結することができる。アクチュエータの対応制御によって、クランプ部分４を支持部に対して押し付け、又は押し付けたクランプ部分を開放することができる。
【００１７】
本発明の例示の実施例を説明するため、以下で図３も参照する。例示の実施例では、アクチュエータ５は、強磁性コア１２、電機子１１、及び少なくとも１つの巻線１３を含む。巻線１３は、コア又は電機子に磁界を生成し電機子及びクランプ部分を移動させるためにコア又は電機子上に配置され、コア又は電機子と作動的に接続されている。電機子１１は、２つの停止位置の間に可動に配置され、巻線に電流が流れていない状態で電機子を停止位置の１つ又は他方で保持するための少なくとも１つの保持手段１４．１、１４．２が設けられている。図３で示した例示の実施例では、コア１２は２つの肢１２．１、１２．２を有し、その２つの肢の間に電機子１１が可動に配置され、２つの永久磁石１４．１、１４．２が保持手段として設けられて、巻線に電流が流れていない状態で、電機子をそれぞれ２つの肢１２．１、１２．２のうちの１つで停止位置にしっかり保持するようにされている。図３に示したように、コア１２を例えばＵ字形に形成することができる。有利な一変形例では、コア１２及び／又は電機子１１が変圧器金属板で作成される。他の有利な一変形例では、クランプ部分４が電機子１１上に形成され、又は電機子自体がクランプ部分として働く。
【００１８】
有利な一実施例では、永久磁石１４．１、１４．２がいずれの場合も肢１２．１、１２．２の内側及びその端部領域に配置される。他の有利な一実施例では、電機子１１は軸１５の周りで揺動させることができるトグル又は揺動電機子として形成される。この実施例では、軸１５から遠位の電機子の部分を、２つの肢１２．１、１２．２の間で、電機子の長手軸線に対してほぼ横方向に延びる方向１６に移動させることができる。巻線に電流が流れていない状態では、軸１５から遠位の電機子の部分は永久磁石によって生成される磁界によって最も近い肢１２．１、１２．２に、例えば肢の内側又は磁界によって電機子がしっかり保持される永久磁石の表面に当接するまで引き寄せられる。電機子を、それぞれ巻線１３から導通される正又は負の電流パルスによって１つの肢から他方の肢へ、すなわち一方の停止位置から他方の停止位置に移動させることができる。
【００１９】
他の有利な一実施例では、巻線１３が例えば制御回路を介してエネルギ貯蔵部に連結可能な場合は、巻線１３は、例えば蓄電池又はコンデンサなどエネルギ貯蔵部に連結される。
【００２０】
例えば糸クランプを追加で機械的及び／又は空気圧式に作動させることによって、糸クランプの電気エネルギ消費量をさらに低減することができる。従って糸クランプを、例えば杼口の内部では電気的に、杼口の外部では機械的及び／又は空気圧式に開閉することができる。
【００２１】
レピア・ヘッド１への電源の例示の一実施例を図１及び図２を参照して以下に説明する。電源１０は、例えば、有利な一実施例では固定配置された少なくとも１つの１次誘導コイル８、及び１次誘導コイルに誘導的に結合された少なくとも１つの２次誘導コイル９を有する誘導結合装置を備える。作動中、１次誘導コイル８は発電機によって電力を有利に供給され、例えば周波数５ｋＨｚから１００ｋＨｚで作動する。図１で示したように、誘導結合装置は磁化可能なコア７を追加で備えることができる。この磁化可能なコア７は、例えば変圧器金属板又はフェライトからなり、例えばスロットを有し、そのスロットを通してバンド２を導く。２次誘導コイル９はバンド２上に形成され、例えば１つ又は複数の細長い誘導ループが、例えば銅薄膜で覆うことによってバンドに埋め込まれ或いはバンドに塗布される。他の有利な一変形例では、２次誘導コイル９は、長さ少なくとも５ｃｍ、少なくとも１５ｃｍ、又は少なくとも５０ｃｍにわたって延びる。
【００２２】
有利な一変形例では、２次誘導コイル９を、バンド２の前後の移動中に１次誘導コイル８の磁界から離れないように長くする。すなわち、中間貯蔵部なしで、緯糸挿入及び／又は織機サイクル全体にわたりレピア・ヘッドに電流を供給することができるようにする。この場合、緯糸挿入及び／又は織機サイクル全体にわたり誘導結合装置を介してレピア・ヘッド１に、例えばレピア・ヘッド内に配置された糸クランプの制御に関する情報など、情報を転送することもできる。情報を、例えば電源に供給される電流に変調し、又はそれ自体の制御パルスによって転送することができる。
【００２３】
例えば蓄電池又はコンデンサなどエネルギ貯蔵部が設けられて、それぞれアクチュエータ５又は巻線１３に電力が供給される場合、エネルギ貯蔵部は便宜的に変換器を介して２次誘導コイル９に連結される。この場合は、誘導結合装置を介した給電の中断がエネルギ貯蔵部によって回避されるため、２次誘導コイルを比較的短くすることができ、具体的にはレピア・ヘッドが移動する経路よりも短くすることができる。誘導結合装置を介する給電が中断されている間、又はやはり全般的に、制御情報を例えば光学的に、又は高周波によってレピア・ヘッドに転送することができ、後者の場合は２次誘導コイルをアンテナとして使用することができる。さらに、レピア・ヘッド内の糸クランプを、例えばレピア・ヘッド内に配置される近接センサなどセンサを介して制御することもできる。
【００２４】
本出願に記載の糸クランプ、及び同様に本明細書に記載のレピア・ヘッドにより、電磁アクチュエータを備える従来の糸クランプと比較して、電気エネルギ消費量を低減することができる。なぜなら、上記の糸クランプのアクチュエータは開放又は閉鎖状態では電流が不要だからである。従って本出願によれば、アクチュエータの加熱を低減し、アクチュエータをより小型で軽量にすることができる。
【図面の簡単な説明】
【００２５】
【図１】本発明による糸クランプの例示の一実施例と共にレピア・ヘッド及びバンド駆動装置を概略的に示す斜視図である。
【図２】レピア・ヘッドへの電源の例示の一実施例を示す図である。
【図３】本発明による糸クランプのアクチュエータの例示の一実施例を示す図である。
【図１】
2007332530.tif 000003
【図２】
2007332530.tif 000004
【図３】
2007332530.tif 000005